【手続補正書】
【提出日】平成16年11月17日(2004.11.17)
【手続補正１】
【補正対象書類名】明細書
【補正対象項目名】発明の名称
【補正方法】変更
【補正の内容】
【発明の名称】撮像装置
【手続補正２】
【補正対象書類名】明細書
【補正対象項目名】特許請求の範囲
【補正方法】変更
【補正の内容】
【特許請求の範囲】
【請求項１】
画像を撮影する撮像手段と、
前記撮像手段が画像を撮影する際の撮影情報を検出する撮影情報検出手段と、
前記撮像手段によって撮影された画像に、前記画像の撮影前に前記撮影情報検出手段によって検出された撮影前情報と、前記画像の撮影後に前記撮影情報検出手段によって検出された撮影後情報とを関連付けて記録する記録手段とを有することを特徴とする撮像装置。
【請求項２】
前記撮像手段によって撮影された画像の画像ファイルを生成するファイル生成手段を有し、
前記記録手段は前記画像の撮影前に検出した撮影前情報および前記画像の撮影後に検出した撮影後情報を前記画像ファイルのヘッダ情報として記録することを特徴とする請求項１に記載の撮像装置。
【請求項３】
前記撮像手段によって撮影された画像を表示する表示手段を有し、前記表示手段は前記画像の撮影前に検出した撮影前情報と、前記撮影画像の撮影後に検出した撮影後情報とを前記画像と共に表示することを特徴とする請求項１または２に記載の撮像装置。
【請求項４】
撮影前に検出した撮影前情報と、撮影後に検出した撮影後情報とに基づいて前記撮影画像を解析する解析手段と、前記解析手段による解析結果の撮影画像とを、共に表示する表示手段をさらに有することを特徴とする請求項１ないし３のいずれかに記載の撮像装置。
【請求項５】
画像を撮影する撮像手段と、
前記撮像手段が画像を撮影する際の撮影情報を検出する撮影情報検出手段と、
前記撮像手段によって画像が撮影される前に前記撮影情報検出手段によって検出された撮影前情報と、前記撮像手段によって画像が撮影された後に前記撮影情報検出手段によって検出された撮影後情報とに基づいて前記撮影画像を解析する解析手段と、
前記撮像手段によって撮影された画像に、前記解析手段による前記画像の解析結果とを関連付けて記録する記録手段と有することを特徴とする撮像装置。
【請求項６】
前記撮像手段によって撮影された画像の画像ファイルを生成するファイル生成手段を有し、
前記記録手段は前記画像の解析結果を前記画像ファイルのヘッダ情報として記録することを特徴とする請求項５に記載の撮像装置。
【請求項７】
前記撮像手段によって撮影された画像を表示する表示手段を有し、前記表示手段は前記画像の解析結果を前記画像と共に表示することを特徴とする請求項５または６に記載の撮像装置。
【請求項８】
画像を撮影する撮像手段と、
前記撮像手段が画像を撮影する際の撮影情報を検出する撮影情報検出手段と、
前記撮像手段によって撮影される画像に、前記画像の撮影後に前記撮影情報検出手段によって検出された撮影後情報を関連付けて記録する記録手段とを有することを特徴とする撮像装置。
【請求項９】
前記撮像手段によって撮影された画像の画像ファイルを生成するファイル生成手段を有し、
前記記録手段は前記画像の撮影後に検出した撮影後情報を前記画像ファイルのヘッダ情報として記録することを特徴とする請求項８に記載の撮像装置。
【請求項１０】
前記撮像手段によって撮影された画像を表示する表示手段を有し、前記表示手段は前記撮影画像の撮影後に検出した撮影後情報と前記画像とを、共に表示することを特徴とする請求項８または９に記載の撮像装置。
【手続補正３】
【補正対象書類名】明細書
【補正対象項目名】０００１
【補正方法】変更
【補正の内容】
【０００１】
【発明の属する技術分野】
本発明は、例えば、デジタルカメラ等の撮像装置により撮影された画像を画像ファイルとして記憶するシステムに適用され、特に、デジタルカメラ等の一時記憶媒体であるメモリ等に記憶された画像データを、ＬＣＤ等の表示画面上に表示する手段を有する撮像装置に関する。
【手続補正４】
【補正対象書類名】明細書
【補正対象項目名】００１０
【補正方法】変更
【補正の内容】
【００１０】
本発明は、上述の事情に鑑みて成されたもので、デジタルカメラ等の撮像装置の画像を記憶するシステムにおいて、撮影した画像の再生時、或は記憶済みの画像ファイルの再生時に、撮影前と撮影後のカメラが判断した情報と、それを比較・評価した情報の１つ以上を組合わせた情報を、表示画面上に、再生画像データと一緒に表示することで、ユーザが画像の写り具合を容易に判断できるデジタルカメラ等の撮影・再生を好適にすることが可能な撮像装置を提供することを目的とする。
【手続補正５】
【補正対象書類名】明細書
【補正対象項目名】００１２
【補正方法】変更
【補正の内容】
【００１２】
画像を撮影する撮像手段と、
前記撮像手段が画像を撮影する際の撮影情報を検出する撮影情報検出手段と、
前記撮像手段によって撮影された画像に、前記画像の撮影前に検出された撮影前情報と、前記画像の撮影後に前記撮影情報検出手段によって検出された撮影後情報とを関連付けて記録する記録手段とを有する撮像装置。
【手続補正６】
【補正対象書類名】明細書
【補正対象項目名】００１３
【補正方法】削除
【補正の内容】
【手続補正７】
【補正対象書類名】明細書
【補正対象項目名】００１４
【補正方法】削除
【補正の内容】
【手続補正８】
【補正対象書類名】明細書
【補正対象項目名】００１５
【補正方法】削除
【補正の内容】
【手続補正９】
【補正対象書類名】明細書
【補正対象項目名】００１６
【補正方法】削除
【補正の内容】
【手続補正１０】
【補正対象書類名】明細書
【補正対象項目名】００１７
【補正方法】削除
【補正の内容】
【手続補正１１】
【補正対象書類名】明細書
【補正対象項目名】００１８
【補正方法】削除
【補正の内容】
【手続補正１２】
【補正対象書類名】明細書
【補正対象項目名】００１９
【補正方法】削除
【補正の内容】
【手続補正１３】
【補正対象書類名】明細書
【補正対象項目名】００２０
【補正方法】削除
【補正の内容】
【手続補正１４】
【補正対象書類名】明細書
【補正対象項目名】００２１
【補正方法】変更
【補正の内容】
【００２１】
【発明の実施の形態】
以下、本発明に係る撮像装置の実施の形態を説明する。
【手続補正１５】
【補正対象書類名】明細書
【補正対象項目名】００３５
【補正方法】変更
【補正の内容】
【００３５】
（実施例１）
以下、本発明の実施例１を図面およびフローチャートを参照して説明する。
【手続補正１６】
【補正対象書類名】明細書
【補正対象項目名】００７２
【補正方法】変更
【補正の内容】
【００７２】
以上のように、実施例１の撮像装置によれば、撮影前のカメラが判断した情報として、シャッタースピードが遅く設定されたユーザに手ぶれ警告を通知していた、等の撮影前の情報を記録する手段と、撮影後のクイックレビュー再生時に撮影画像と共に、手ぶれ警告があった画像である等の記録した撮影前の情報を表示する手段を有することにより、撮影後にＬＣＤ画面上では綺麗に見えている撮影画像は、手ぶれ警告がされたまま撮影された画像で、実際には手ぶれしている可能性がある等の状況をユーザは容易に判断することができる。
【手続補正１７】
【補正対象書類名】明細書
【補正対象項目名】００７３
【補正方法】変更
【補正の内容】
【００７３】
（実施例２）
以下、本発明の実施例２を図面およびフローチャートを参照して説明する。
【手続補正１８】
【補正対象書類名】明細書
【補正対象項目名】００８１
【補正方法】変更
【補正の内容】
【００８１】
以上のように、実施例２の撮像装置によれば、撮影前にカメラが判断した情報である被写体との距離と、撮影後にカメラが判断した情報である被写体との距離が、ある設定されている基準と違っているという解析をする手段と、その情報を記憶する手段と、撮影後のクイックレビュー時に撮影画像と共に解析した結果の被写体が動いた可能性があった画像だということを表示する手段を有することにより、撮影後にＬＣＤ画面上では綺麗に見えている撮影画像は、撮影の瞬間に被写体が動いて撮影された画像で、実際には被写体がぶれて写っている可能性があることをユーザは容易に確認することができる。
【手続補正１９】
【補正対象書類名】明細書
【補正対象項目名】００８２
【補正方法】変更
【補正の内容】
【００８２】
また実施例２の撮像装置によれば、撮影後情報だけの情報で判断し、撮影前情報は、全く保存していない場合を想定する。例えば、撮影後に算出したシャッタースピードは遅いため、撮影前に設定されたシャッタースピードも遅かった可能性があり手ぶれもしている可能性がある、または撮影後に焦点検出を数回した結果、被写体との距離が変化し続けているので、撮影した瞬間も動いていた可能性がある等、撮影後にカメラが判断した情報を保存する手段と、その情報を表示する手段を有することにより、撮影後にＬＣＤ画面上では綺麗に見えている撮影画像は、撮影者が意図しない画像であるかもしれないということを、ユーザに容易に通知することができる。
【手続補正２０】
【補正対象書類名】明細書
【補正対象項目名】００８３
【補正方法】変更
【補正の内容】
【００８３】
（実施例３）
以下、本発明の実施例３を説明する。
【手続補正２１】
【補正対象書類名】明細書
【補正対象項目名】００９５
【補正方法】変更
【補正の内容】
【００９５】
以上のように、実施例３の撮像装置によれば、記録メディアの保存された画像ファイルをプレイバック再生する場合に、画像ファイルに保存されている撮影前情報と撮影後情報と撮影前後情報を解析する手段と、それら情報の１つ以上の組合わせた情報をＬＣＤ画面上の画像データと共に表示する手段を有することにより、ＬＣＤ画面上では綺麗に見えている画像ファイルは、撮影者が意図しない画像であるかもしれないということを、ユーザに容易に通知することができる。
【手続補正２２】
【補正対象書類名】明細書
【補正対象項目名】０１０５
【補正方法】変更
【補正の内容】
【０１０５】
【発明の効果】
以上説明したように、本発明によれば、撮影した画像を評価するための情報を画像に関連付けて記録することによって、撮影した画像の良し悪しを判断する材料とすることができる。